(57)【要約】【課題】自動運転から手動運転に切り替える際に、運転者が周囲状況を把握しやすい表示装置を提供する。【解決手段】制御部は、自動運転中に周囲状況を含む自動運転用画面を表示し、自動運転から手動運転への切り換え後から所定時間経過するまで又は所定区間走行するまで周囲状況を含む切換用画面を表示し、自動運転から手動運転に切り替えてから所定時間経過した後又は所定区間走行した後に、周囲状況を含まない手動運転用画面に表示する。【選択図】図４
2018103880.tif 000002
【特許請求の範囲】
【請求項１】
表示部と、
移動体の周囲の状況を取得する取得部と、
前記取得部が取得した周囲状況を前記表示部に表示させる制御部と、を備え、
前記制御部は、前記移動体の自動運転から手動運転への切り替え後から所定時間経過するまで又は所定区間走行するまで、前記周囲状況を前記表示部に表示させることを特徴とする表示装置。
【請求項２】
前記制御部は、前記自動運転から前記手動運転に切り替えてから前記所定時間経過した後又は所定区間走行した後に、手動運転用画面を前記表示部に表示させることを特徴とする請求項１に記載の表示装置。
【請求項３】
前記制御部は、自動運転中に前記周囲状況を含む自動運転用画面を前記表示部に表示し、前記自動運転から前記手動運転への切り換え後から所定時間経過するまで又は所定区間走行するまで前記周囲状況を含む切換用画面を前記表示部に表示し、前記所定時間経過した後又は前記所定区間走行した後に、手動運転用画面を前記表示部に表示させることを特徴とする請求項１又は２に記載の表示装置。
【請求項４】
前記手動運転用画面には、前記周囲状況は含まれないことを特徴とする請求項２又は３に記載の表示装置。
【請求項５】
前記取得部は、前記移動体周辺の他の移動体又は障害物を前記周囲状況として取得することを特徴とする請求項１〜４何れか１項に記載の表示装置。
【請求項６】
前記制御部は、前記自動運転から前記手動運転への切り替え後に、前記移動体の速度情報の表示を大きくすることを特徴とする請求項１〜５何れか１項に記載の表示装置。
【請求項７】
前記制御部は、前記自動運転から前記手動運転への切り替えまでの距離及び／又は時間を前記表示部に表示させることを特徴とする請求項１〜６何れか１項に記載の表示装置。
【請求項８】
運転者の生体情報を検出する生体検出部をさらに備え、
前記制御部は、前記自動運転から前記手動運転への切り換え後に、前記生体情報の表示を大きくすることを特徴とする請求項１〜７何れか１項に記載の表示装置。
【請求項９】
取得部が取得した移動体の周囲状況を表示部に表示させる表示方法であって、
前記移動体の自動運転から手動運転への切り替え後から所定時間経過するまで又は所定区間走行するまで、前記周囲状況を前記表示部に表示させることを特徴とする表示方法。
【請求項１０】
表示部を制御するコンピュータが実行する表示制御プログラムであって、
移動体の自動運転から手動運転への切り替え後から所定時間経過するまで又は所定区間走行するまで、取得部が取得した周囲状況を表示部に表示させる制御部
として前記コンピュータを機能させることを特徴とする表示制御プログラム。
【請求項１１】
請求項１０に記載の表示制御プログラムが記録されていることを特徴とする記録媒体。
【発明の詳細な説明】
【技術分野】
【０００１】
本発明は、表示装置、表示方法、表示方法を実行するための表示制御プログラム及び当該表示制御プログラムを記録した記録媒体に関する。
【背景技術】
【０００２】
自動運転と手動運転とを選択して行う自動車（移動体）に関わる技術として、自動運転から手動運転に切り替わる可能性があるときに、その旨を運転者に対して提示する技術が知られている（特許文献１）。
【０００３】
自動車の自動運転時には、運転者は、周囲状況を監視する必要性から解放されるため、周囲状況を確認・把握していない。このため、事前に自動運転から手動運転への切り換えを提示しても、運転者は周囲状況の確認・把握が間に合わず、スムーズに手動運転への切り換えができない、という問題が一例として挙げられる。
【先行技術文献】
【特許文献】
【０００４】
【特許文献１】特開２００１−１９９２９５号公報
【発明の概要】
【発明が解決しようとする課題】
【０００５】
本発明は、このような問題点に対処することを課題の一例とするものである。即ち、本発明は、例えば、自動運転から手動運転に切り替えた際に、運転者が周囲状況を把握しやすい表示装置、表示方法、表示方法を実行するための表示制御プログラム及び当該表示制御プログラムを記録した記録媒体を提供することを目的としている。
【課題を解決するための手段】
【０００６】
上述した課題を解決するためになされた請求項１記載の表示装置は、表示部と、移動体の周囲の状況を取得する取得部と、前記取得部が取得した周囲状況を前記表示部に表示させる制御部と、を備え、前記制御部は、前記移動体の自動運転から手動運転への切り替え後から所定時間経過するまで又は所定区間走行するまで、前記周囲状況を前記表示部に表示させることを特徴とする。
【０００７】
また、請求項９記載の表示方法は、取得部が取得した移動体の周囲状況を表示部に表示させる表示方法であって、前記移動体の自動運転から手動運転への切り替え後から所定時間経過するまで又は所定区間走行するまで、前記周囲状況を前記表示部に表示させることを特徴とする。
【０００８】
また、請求項１０記載の表示制御プログラムは、表示部を制御するコンピュータが実行する表示制御プログラムであって、移動体の自動運転から手動運転への切り替え後から所定時間経過するまで又は所定区間走行するまで、取得部が取得した周囲状況を表示部に表示させる制御部として前記コンピュータを機能させることを特徴とする。
【０００９】
また、請求項１１に記載の記録媒体は、請求項１０に記載の表示制御プログラムが記録されていることを特徴とする。
【図面の簡単な説明】
【００１０】
【図１】本発明の一実施例にかかる表示装置を有する表示システムの斜視図である。
【図２】図１に示された表示システムを運転席から見た正面図である。
【図３】図１に示されたウインドシールドライトと運転者との関係を示した説明図である。
【図４】図１に示された表示システムの機能的構成を示したブロック図である。
【図５】図４に示された制御部のドライバーディスプレイの制御処理手順を示すフローチャートである。
【図６】自動運転時における図１に示すドライバーディスプレイの表示例を示す図である。
【図７】自動運転終了間際における図１に示すドライバーディスプレイの表示例を示す図である。
【図８】手動運転への切り換え後、所定時間経過前における図１に示すドライバーディスプレイの表示例を示す図である。
【図９】手動運転への切り換え後、所定時間経過後における図１に示すドライバーディスプレイの表示例を示す図である。
【発明を実施するための形態】
【００１１】
以下、本発明の一実施形態にかかる表示装置を説明する。本発明の一実施形態にかかる表示装置は、表示部と、移動体の周囲の状況を取得する取得部と、取得部が取得した周囲状況を表示部に表示させる制御部と、を備え、制御部は、移動体の自動運転から手動運転への切り替え後から所定時間経過するまで又は所定区間走行するまで、周囲状況を表示部に表示させる。これにより、手動運転に切り替わってからしばらくは周囲状況が表示されているので、自動運転から手動運転に切り替えた際に、運転者が周囲状況を把握しやすくなる。
【００１２】
また、制御部は、自動運転から手動運転に切り替えてから所定時間経過した後又は所定区間走行した後に、手動運転用画面を表示部に表示させるようにしてもよい。これにより、手動運転に切り替わってからしばらくは手動運転用画面が表示されずに周囲状況が表示されているので、自動運転から手動運転に切り替えた際に、運転者が周囲状況を把握しやすくなる。
【００１３】
また、制御部は、自動運転中に周囲状況を含む自動運転用画面を表示部に表示し、自動運転から手動運転への切り換え後から所定時間経過するまで又は所定区間走行するまで周囲状況を含む切換用画面を表示部に表示し、所定時間経過した後又は所定区間走行した後に、手動運転用画面を表示部に表示させるようにしてもよい。これにより、手動運転に切り替わってからしばらくは周囲状況が表示されているので、自動運転から手動運転に切り替えた際に、運転者が周囲状況を把握しやすくなる。
【００１４】
また、手動運転用画面には周囲状況は含まれないようにしてもよい。
【００１５】
また、取得部は、移動体周辺の他の移動体又は障害物を周囲状況として取得するようにしてもよい。これにより、自動運転から手動運転に切り替えた際に、運転者が移動体周辺の他の移動体又は障害物を把握しやすくなる。
【００１６】
また、制御部は、自動運転から手動運転への切り替え後に、移動体の速度情報の表示を大きくするようにしてもよい。これにより、手動運転時に速度情報を運転者が把握しやすくなる。
【００１７】
また、制御部は、自動運転から手動運転への切り替えまでの距離及び／又は時間を表示部に表示させるようにしてもよい。これにより、運転者が後どれくらいで手動運転に切り替わるか把握することができる。
【００１８】
また、運転者の生体情報を検出する生体検出部をさらに備え、制御部は、自動運転から手動運転への切り換え後に、生体情報の表示を大きくするようにしてもよい。これにより、手動運転時に生体情報を運転者が把握しやすくなる。
【００１９】
また、本発明の一実施形態にかかる表示方法を説明する。本発明の表示方法は、取得部が取得した移動体の周囲状況を表示部に表示させる表示方法であって、移動体の自動運転から手動運転への切り替え後から所定時間経過するまで又は所定区間走行するまで、周囲状況を表示部に表示させる。これにより、手動運転に切り替わってからしばらくは周囲状況が表示されているので、自動運転から手動運転に切り替えた際に、運転者が周囲状況を把握しやすくなる。
【００２０】
また、上述した表示方法をコンピュータにより実行させるプログラムとしてもよい。このようにすることにより、コンピュータを用いて、手動運転に切り替わってからしばらくは周囲状況が表示されることができ、自動運転から手動運転に切り替える際に、運転者が周囲状況を把握しやすくなる。
【００２１】
また、上述したプログラムをコンピュータ読み取り可能な記録媒体に格納してもよい。このようにすることにより、当該プログラムを機器に組み込む以外に単体でも流通させることができ、バージョンアップ等も容易に行える。
【実施例】
【００２２】
本発明の一実施例にかかる表示装置を図１乃至図９を参照して説明する。図１は、本実施例にかかる表示装置を有する表示システム１００の斜視図である。表示システム１００は、移動体の一例としての車両の運転席ＳＨの周りに設置される複数の表示部（ディスプレイ）を備える。図２は、運転席ＳＨから前方をみた正面図である。
【００２３】
運転席ＳＨには、その前方にハンドルＨが設けられ、その奥側にはドライバーディスプレイ１０１が設けられている。ドライバーディスプレイ１０１は、左右方向に長尺なディスプレイである。ドライバーディスプレイ１０１には、速度計、燃料計や水温計及び後述する車外情報取得部２（取得部）が取得した車両の周辺状況が文字や画像などにより表示される。
【００２４】
運転席ＳＨの右側（助手席側）にはコントロールパネル１０４が設けられている。コントロールパネル１０４は、エアコンやナビゲーションシステムの設定や音楽や映像等のコンテンツの選択、再生等の操作入力がされる。
【００２５】
コントロールパネル１０４の上側（ドライバーディスプレイ１０１の右側）にはセンターマルチメディアディスプレイ１０２が設けられている。センターマルチメディアディスプレイ１０２は、ナビゲーションシステムの地図及び案内の表示や、例えば自動運転時には上述した映像コンテンツ等が表示される。
【００２６】
ウインドシールドライト１０３は、例えばＬＥＤ（発光ダイオード）や有機ＥＬ（Electro Luminescence）等の発光素子により複数の発光色により発光可能となっている。本実施例では、図２に示したように運転者から見て左右方向に細長い形状であるがそれに限らない。但し、ウインドシールドライト１０３の大きさ（長さ）は、ドライバーディスプレイ１０１内に表示されるアイコンやインジケータ、文字等よりも大きいことが好ましい。
【００２７】
ウインドシールドライト１０３は、図３に示したように、ドライバーディスプレイ１０１の奥側のダッシュボード内に埋め込まれている。ウインドシールドライト１０３は、ダッシュボードからウインドシールドＷ（フロントガラスともいう）に向かって点灯又は点滅することでウインドシールドＷに当該点灯等が写りこんで（図３のＷ１）運転者Ｄからはドライバーディスプレイ１０１の上方に表示されているように視認できる。
【００２８】
本実施例では、ウインドシールドライト１０３は、運転席ＳＨから見て右側と左側の２か所に一対（１０３ａ、１０３ｂ）が設けられている（図２を参照）。
【００２９】
なお、ウインドシールドライト１０３は、ダッシュボード内に埋め込むに限らず、ウインドシールドＷの下方であって、運転者が直接視認できる位置（ダッシュボード上など）に配置してもよい。又はドライバーディスプレイ１０１の上部に設置してもよい。即ち、運転席ＳＨの前方に配置されていればよい。また、例えばドライバーディスプレイ１０１やセンターマルチメディアディスプレイ１０２からの視線移動が少ない位置に配置されることが好ましい。
【００３０】
次に、上述した構成の表示システム１００の機能的構成について図４を参照して説明する。図４に示したように、表示システム１００は、上述したドライバーディスプレイ１０１、センターマルチメディアディスプレイ１０２、ウインドシールドライト１０３、コントロールパネル１０４に加えて、車外情報取得部２と、車内情報取得部３と、コンテンツ情報取得部４と、制御部５と、を備えている。
【００３１】
車外情報取得部２は、例えばＬＩＤＡＲ（Laser Imaging Detection and Ranging、Laser Illuminated Detection and Ranging）またはＬｉＤＡＲ（Light Detection and Ranging）や車外を撮影するカメラ等の周囲の状況を検出するセンサ等により得られた車両外部の情報（周囲車両（他の移動体）の有無や位置、歩行者を含む障害物等の有無や位置等）を取得する。車外情報取得部２は、具体的にはＬＩＤＡＲ等のセンサのインタフェース回路等が機能する。
【００３２】
車内情報取得部３は、例えば自動運転で走行中であることを示す情報、走行速度、燃料の残量、水温等の車両に設置された各センサから取得した情報、自動運転中に自動的に操作されるブレーキや方向指示器等の運転制御情報や運転者の眠気等の運転者Ｄの生体情報等を取得する。車内情報取得部３は、具体的には車内の各センサや自動運転の制御装置等とのインタフェース回路等が機能する。
【００３３】
コンテンツ情報取得部４は、センターマルチメディアディスプレイ１０２に表示するための映像コンテンツ等の情報を、不図示のハードディスク等の記憶装置、ＤＶＤドライブ等の光学装置や車外のコンテンツサーバ等から取得する。コンテンツ情報取得部４は、具体的には記憶装置とのインタフェース回路等や外部との通信装置等が機能する。
【００３４】
制御部５は、車外情報取得部２、車内情報取得部３、コンテンツ情報取得部４が取得した各種情報に基づいてドライバーディスプレイ１０１、センターマルチメディアディスプレイ１０２、ウインドシールドライト１０３の表示の制御を行う。制御部５は、具体的にはＣＰＵ（Central Processing Unit）等の制御回路が機能する。
【００３５】
制御部５は、車内情報取得部３が取得した走行速度や燃料の残量或いは運転者Ｄの眠気等の生体情報や、車外情報取得部２が取得した車両の周囲状況等を、数値や画像等によりドライバーディスプレイ１０１に表示する。また、制御部５は、コンテンツ情報取得部４が取得した映像コンテンツ等の情報を再生してセンターマルチメディアディスプレイ１０２に表示する。
【００３６】
また、制御部５は、自動運転中に車外情報取得部２及び車内情報取得部３が取得した情報の一部をウインドシールドライト１０３の点灯や点滅により表示させる。例えば、自動運転中はウインドシールドライト１０３ａ、１０３ｂとも青色に点灯する。また、例えば、自動運転と手動運転が走行する経路等により切り替わる場合は、手動運転への切り替わり地点までの時間に基づいて、自動運転終了の一定時間前からは紫色で点滅する。即ち、自動運転終了の一定時間以内であることを表示する。なお、自動運転終了の所定距離前からとしてもよい。
【００３７】
以上説明したドライバーディスプレイ１０１と、車外情報取得部２と、制御部５と、が本発明の一実施例にかかる表示装置１を構成する。
【００３８】
次に、上述した制御部５におけるドライバーディスプレイ１０１の制御動作（表示方法）について図５〜図９を参照して説明する。図５は、制御部５のドライバーディスプレイ１０１の制御処理手順を示すフローチャートである。このフローチャートを制御部５が実行するコンピュータプログラムとして構成することで、表示制御プログラムとすることができる。図６〜図９は、ドライバーディスプレイ１０１の表示例を示す図である。
【００３９】
制御部５は、定期的に車外情報取得部２及び車内情報取得部３から車外情報や車内情報を取得している。まず、ステップＳ１において、制御部５は、自動運転中か否かを判断し、自動運転中である場合（ＹＥＳの場合）はステップＳ２に進み、自動運転中でない場合（ＮＯの場合）はステップＳ８に進む。自動運転中か否かは、車内情報取得部３が取得した情報から判断すればよい。
【００４０】
ステップＳ２においては、制御部５は、自動運転終了間際であるか否かを判定する。自動運転終了間際であるか否かは、自動運転から手動運転への切り換えまでの距離や時間に基づいて判定できる。自動運転終了間際でない場合（ステップＳ２でＮＯの場合）ステップＳ３に進む。
【００４１】
次に、ステップＳ３において、制御部５は、図６に示す自動運転用画面をドライバーディスプレイ１０１に表示する。自動運転用画面は、周囲状況領域Ａ１と、速度計領域Ａ２と、燃料計領域Ａ３と、水温計領域Ａ４と、カウントダウン領域Ａ５と、生体情報領域Ａ６と、を有する。周囲状況領域Ａ１は、ドライバーディスプレイ１０１の中央付近に表示される。制御部５は、周囲状況領域Ａ１において、車線と、自車両を示す自車両マークＭ１と、を表示する。制御部５は、車外情報取得部２によって周囲車両や、歩行者を含む障害物を検出すると、周囲状況領域Ａ１上の自車両マークＭ１に対する周囲車両、障害物の位置に周囲車両マークや障害物マーク（何れも図示せず）を表示する。運転者は、自車両マークＭ１と図示しない周囲車両マーク、障害物マークとの位置関係から、周囲車両、障害物がどの位置にあるかを知ることができる。
【００４２】
速度計領域Ａ２は、周囲状況領域Ａ１の右側に表示され、車内情報取得部３から取得した走行速度（速度情報）が表示される。燃料計領域Ａ３は、速度計領域Ａ２の右上に表示され、車内情報取得部３から取得した燃料残量が表示される。水温計領域Ａ４は、速度計領域Ａ２の右下に表示され、車内情報取得部３から取得した水温が表示される。カウントダウン領域Ａ５は、周囲状況領域Ａ１の左上側に表示され、自動運転から手動運転への切り換えまでの距離及び時間が表示される。
【００４３】
生体情報領域Ａ６は、運転者の眠気等の運転者の生体情報が表示される。本実施例では、生体情報領域Ａ６には、運転者アイコンＩ１と、表示バーＩ２と、が表示されている。運転者アイコンＩ１は、眠気の度合いに応じた色で表示される。本実施例では、青が最も覚醒した状態で、眠気が増すほど赤みが増すように表示される。表示バーＩ２は、左右方向に長尺に設けられ、運転者アイコンＩ１の表示色と眠気の度合いとの関係を示す。本実施例では、表示バーＩ２は、左側が青く、右に行くほど赤みが増すようにグラデュエーション表示される。運転者Ｄは、表示バーＩ２上の運転者アイコンＩ１の表示色の位置により、眠気の度合いを知ることができる。
【００４４】
一方、ステップＳ２において、自動運転終了間際である場合（ＹＥＳの場合）はステップＳ４に進む。
【００４５】
ステップＳ４において、制御部５は、図７に示すように、自動運転用画面にさらにボタン領域Ａ７を表示させる。ボタン領域Ａ７は、カウントダウン領域Ａ５及び生体情報表示エリアＡ６の右側の周囲状況領域Ａ１に重畳して表示される。ボタン領域Ａ７は、運転者が手動運転への切り換えを認識しているかを確認するために、又は手動運転への切り換えのために、ハンドルＨに設けたボタンＢ（図２参照）を押すように表示するための領域である。本実施例では、ボタン領域Ａ７には、ボタンが設けられたハンドルの絵と、「ボタンを押して下さい」との文字が表示される。制御部５は、手動運転に切り替わるまで図７に示す自動運転用画面の表示を行う。
【００４６】
その後、自動運転から手動運転に切り替わると（ステップＳ５でＹＥＳ）、制御部５は、図８に示すような切換用画面を表示する（ステップＳ６）。即ち、切換用画面は、周囲状況領域Ａ１と、速度計領域Ａ２と、燃料計領域Ａ３と、水温計領域Ａ４と、生体情報領域Ａ６と、を有する。即ち、図６及び図７に自動運転用画面からカウントダウン領域Ａ５やボタン領域Ａ７が消されたものが切換用画面となる。また、切換用画面の速度計領域Ａ２及び生体情報領域Ａ６は、自動運転用画面の速度計領域Ａ２及び生体情報領域Ａ６よりも大きく表示されている。制御部５は、自動運転用画面から切替用画面に切り替える際、上記速度計領域Ａ２及び生体領域Ａ６を徐々に大きく表示する。
【００４７】
その後、手動運転に切り替わってから所定時間経過すると（ステップＳ７でＹＥＳ）、制御部５は、図９に示す手動運転用画面をドライバーディスプレイ１０１に表示した後（ステップＳ８）、ステップＳ１に戻る。
【００４８】
手動運転用画面は、速度計領域Ａ２と、燃料計領域Ａ３と、水温計領域Ａ４と、生体情報領域Ａ６と、メニュー選択領域Ａ８と、を有し、周囲状況領域Ａ１は含まれない。手動運転用画面においては、周囲状況領域Ａ１の代わりに画面中央付近にメニュー選択領域Ａ８が表示される。メニュー選択領域Ａ８においては、ハンドルＨに配置された操作部１０５（図２参照）で選択できる複数のメニュー（音楽やニュースなど）が表示されている。また、手動運転用画面の速度計領域Ａ２及び生体情報領域Ａ６は、切換用画面の速度計領域Ａ２及び生体情報領域Ａ６と同じ大きさであってもよいし、それぞれの大きさが異なっていてもよい。
【００４９】
上述した実施例によれば、制御部５は、車両の自動運転から手動運転への切り替え後から所定時間経過するまで、周囲状況を表示させる。これにより、手動運転に切り替わってからしばらくは周囲状況が表示されているので、自動運転から手動運転に切り替えた際に、運転者Ｄが周囲状況を把握しやすくなる。
【００５０】
また、上述した実施例によれば、制御部５は、自動運転から手動運転に切り替えてから所定時間経過した後に、手動運転用画面に切り替えている。これにより、手動運転に切り替わってからしばらくは手動運転用画面に切り替えられずに、周囲状況が表示されているので、自動運転から手動運転に切り替えた際に、運転者Ｄが周囲状況を把握しやすくなる。
【００５１】
また、上述した実施例によれば、制御部５は、自動運転中に周囲状況を含む自動運転用画面を表示し、自動運転から手動運転への切り換え後から所定時間経過するまで周囲状況を含む切換用画面を表示し、自動運転から手動運転に切り替えてから所定時間経過した後に、周囲状況を含まない手動運転用画面に切り替えている。これにより、手動運転に切り替わってからしばらくは周囲状況が表示されているので、自動運転から手動運転に切り替えた際に、運転者Ｄが周囲状況を把握しやすくなる。
【００５２】
また、上述した実施例によれば、車外情報取得部２は、周囲車両又は障害物を周囲状況として取得している。これにより、自動運転から手動運転に切り替える際に、運転者Ｄが周囲車両又は障害物を把握しやすくなる。
【００５３】
また、上述した実施例によれば、制御部５は、自動運転から手動運転に切り替え後に、速度計領域Ａ２の表示を大きくしている。これにより、手動運転時に速度情報を運転者Ｄが把握しやすくなる。
【００５４】
また、上述した実施例によれば、制御部５は、自動運転から手動運転への切り替えまでの距離及び時間を表示させている。これにより、運転者Ｄが後どれくらいで手動運転に切り替わるか把握することができる。
【００５５】
また、上述した実施例によれば、制御部５は、自動運転から手動運転への切り換え後に、生体情報領域Ａ６の表示を大きくしている。これにより、手動運転時に生体情報を運転者Ｄが把握しやすくなる。
【００５６】
なお、上述した実施例によれば、自動運転から手動運転への切り換え後から所定時間経過するまで周囲状況を表示していたが、これに限ったものではない。自動運転から手動運転への切り換え後から所定区間走行するまで周囲状況を表示するようにしてもよい。
【００５７】
また、上述した実施例によれば、手動運転用画面には周囲状況領域Ａ１は含まれていなかったがこれに限ったものではない。手動運転用画面に周囲状況領域Ａ１を含めてもよい。手動運転用画面に周囲状況領域Ａ１を含める場合、周囲状況領域Ａ１を自動運転用画面の周囲状況領域Ａ１より小さくしたり、ドライバーディスプレイ１０１の隅に表示するなどが好ましい。
【００５８】
また、上述した実施例によれば、車外情報取得部２は、周囲車両や障害物を周囲状況として取得し、周囲状況領域Ａ１に表示していたが、これに限ったものではない。周囲状況としては、車両の周囲状況であればよく、例えば、前方の道路の状況（カーブなのか直線なのか）などの情報であってもよい。
【００５９】
また、上述した実施例によれば、切換用画面の速度計領域Ａ２及び生体情報領域Ａ６を自動運転用画面よりも大きく表示していたが、これに限ったものではない。切替用画面と自動運転用画面とで速度計領域Ａ２、生体情報領域Ａ６の大きさが同じであってもよい。
【００６０】
また、上述した実施例によれば、自動運転用画面のカウントダウン領域Ａ５には、自動運転から手動運転への切り換えまでの距離及び時間を表示させていたが、これに限ったものではない。カウントダウン領域Ａ５には、距離及び時間の何れか一方のみを表示させるようにしてもよい。
【００６１】
また、上述した実施例によれば、運転者Ｄの生体情報として眠気の情報を表示していたが、これに限ったものではない。生体情報としては、心拍等の情報であってもよい。
【００６２】
なお、本発明は上記実施形態に限定されるものではない。即ち、本発明の骨子を逸脱しない範囲で種々変形して実施することができる。
【符号の説明】
【００６３】
１  表示装置
２  車外情報取得部（取得部）
５  制御部
１０１  ドライバーディスプレイ（表示部）
【図１】
2018103880.tif 000003
【図２】
2018103880.tif 000004
【図３】
2018103880.tif 000005
【図４】
2018103880.tif 000006
【図５】
2018103880.tif 000007
【図６】
2018103880.tif 000008
【図７】
2018103880.tif 000009
【図８】
2018103880.tif 000010
【図９】
2018103880.tif 000011